(57)【特許請求の範囲】
【請求項１】
コンテンツのダウンロードサービスを提供するコンテンツサーバから前記コンテンツを受信し、前記コンテンツを直接リムーバブルメディアに記録できる直接エキスポートサービスに対応した受信端末であって、
前記受信端末に要求される能力に関する情報および前記リムーバブルメディアに要求される能力に関する情報を含む、前記コンテンツのエキスポートに必要な情報を、前記コンテンツサーバから取得するデータ取得部と、
前記受信端末が備える能力の情報と前記受信端末に要求される能力に関する情報とを比較するとともに、前記リムーバブルメディアが備える能力の情報と前記リムーバブルメディアに要求される能力に関する情報とを比較し、前記コンテンツのエキスポート処理の実行可否を判断する可否判断部と、
前記可否判断部の判断結果に応じて、前記コンテンツの購入またはエキスポートに関連した処理を行わせる制御部と、を備え、
前記エキスポート処理の実行可否の判断は、前記コンテンツの購入時および前記コンテンツのエキスポート実行時に行なわれ、
前記可否判断部は、前記エキスポート処理の実行可否に関して、エキスポート処理可能、エキスポート処理不可能であるが復旧可能、およびエキスポート処理不可能であり復旧不可能、のいずれかの判断をし、
前記購入時においては、前記制御部は、前記エキスポート処理可能と判断された場合は、購入画面を表示させ、前記エキスポート処理不可能であるが復旧可能と判断された場合は、エキスポート不可の表示をさせ、前記購入画面を表示させ、前記エキスポート処理不可能であるが復旧不可能と判断された場合は、前記エキスポート不可の表示をさせるが前記購入画面を表示させず、
前記エキスポート実行時においては、前記制御部は、前記エキスポート処理可能と判断された場合は、エキスポートを実行させる画面を表示させ、前記エキスポート処理不可能であるが復旧可能および前記エキスポート処理不可能であり復旧不可能と判断された場合は、前記エキスポート不可の表示をさせるが前記エキスポートを実行させる画面を表示させない、受信端末。
【請求項２】
前記エキスポート処理不可能であるが復旧可能と判断される場合とは、前記リムーバブルメディアの容量が不足している場合、前記リムーバブルメディアが前記受信端末に挿入されていない場合、または前記リムーバブルメディアが直接エキスポートに未対応の場合であり、
前記エキスポート処理不可能であり復旧不可能と判断される場合とは、前記受信端末が直接エキスポートサービスに未対応の場合、または前記受信端末が故障している場合である、請求項１に記載の受信端末。
【請求項３】
前記購入画面および前記エキスポートを実行させる画面は、前記可否判断部による判断結果を前記受信端末から受信した前記コンテンツサーバから送られてくる画面である、請求項１に記載の受信端末。
【請求項４】
コンテンツのダウンロードサービスを提供するコンテンツサーバから前記コンテンツを受信し、前記コンテンツを直接リムーバブルメディアに記録できる直接エキスポートサービスに対応した受信端末であって、
前記受信端末に要求される能力に関する情報および前記リムーバブルメディアに要求される能力に関する情報を含む、前記コンテンツのエキスポートに必要な情報を、前記コンテンツサーバから取得するデータ取得部と、
前記受信端末が備える能力の情報と前記受信端末に要求される能力に関する情報とを比較するとともに、前記リムーバブルメディアが備える能力の情報と前記リムーバブルメディアに要求される能力に関する情報とを比較し、前記コンテンツのエキスポート処理の実行可否を判断する可否判断部と、
前記可否判断部の判断結果に応じて、前記コンテンツの購入またはエキスポートに関連した処理を行わせる制御部と、を備え、
前記リムーバブルメディアに要求される能力に関する情報は、リサイズ条件を含んでいる、受信端末。
【請求項５】
前記コンテンツの購入時において、前記制御部は、前記エキスポート処理可能または前記エキスポート処理不可能であるが復旧可能と判断した場合であって、リサイズしなければ前記コンテンツを前記リムーバブルメディアへ記録できない場合には、前記コンテンツのリサイズの可否をユーザに確認し、前記ユーザがリサイズを許可しないときには購入画面を表示させない、請求項４に記載の受信端末。
【請求項６】
コンテンツのダウンロードサービスを提供するコンテンツサーバから前記コンテンツを受信し、前記コンテンツを直接リムーバブルメディアに記録できる直接エキスポートサービスに対応した受信端末の前記コンテンツのエキスポート方法であって、
前記コンテンツの購入時に、購入したい前記コンテンツのエキスポートに必要な情報を前記受信端末が取得し、前記受信端末が備える能力の情報および前記リムーバブルメディアが備える能力の情報のそれぞれと比較して、エキスポート処理の実行可否を、エキスポート処理可能、エキスポート処理不可能であるが復旧可能、およびエキスポート処理不可能であり復旧不可能、のいずれかと判断する第１判断ステップと、
前記第１判断ステップで、前記エキスポート処理可能と判断された場合は、購入画面を表示させ、前記エキスポート処理不可能であるが復旧可能と判断された場合は、エキスポート不可の表示をさせ、前記購入画面を表示させ、前記エキスポート処理不可能であるが復旧不可能と判断された場合は、前記エキスポート不可の表示をさせるが前記購入画面を表示させない第１表示ステップと、
前記購入画面の表示に対して、操作画面を介してユーザから購入確定の入力があった場合に購入処理を確定する購入確定ステップと、
前記コンテンツのエキスポート実行時に、前記エキスポートに必要な情報または新たに前記エキスポートに必要な情報を前記受信端末が取得し、前記受信端末が備える能力の情報および前記リムーバブルメディアが備える能力の情報のそれぞれと比較して、前記エキスポート処理の可否を判断する第２判断ステップと、
前記第２判断ステップで、前記エキスポート処理可能と判断された場合は、エキスポートを実行させる画面を表示させ、前記エキスポート処理不可能であるが復旧可能と判断された場合および前記エキスポート処理不可能であるが復旧不可能と判断された場合は、前記エキスポート不可の表示をさせるが前記エキスポートを実行させる画面を表示させない第２表示ステップと、
前記エキスポートを実行させる画面の表示に対して、前記操作画面を介してユーザからエキスポート実行の指示があった場合に前記エキスポートを実行するエキスポート実行ステップとを備えた、コンテンツのエキスポート方法。
【請求項７】
請求項６に記載のコンテンツのエキスポート方法の、前記コンテンツの購入時に、エキスポート処理の実行可否を判断する前記第１判断ステップ、前記第１判断ステップにおける判断結果に応じて表示を制御する前記第１表示ステップ、前記コンテンツのエキスポート実行時に、前記エキスポート処理の可否を判断する前記第２判断ステップ、前記第２判断ステップにおける判断結果に応じて表示を制御する前記第２表示ステップをコンピュータに実行させるプログラムを記録した記録媒体であって、コンピュータにより処理可能な記録媒体。
【発明の詳細な説明】
【技術分野】
【０００１】
本発明は、通信ネットワークを介して配信サーバから映像・音声コンテンツなどを受信端末にダウンロードし、さらに受信端末に接続されたリムーバブルメディアにエキスポートする、受信端末およびコンテンツのエキスポート方法等に関する。
【背景技術】
【０００２】
近年、通信ネットワーク（通信回線）を用いた映像配信サービスが盛んになりつつある。映像コンテンツなどを配信するための映像配信サーバ、インターネットなどの宅外ネットワークと宅内ネットワークで構成される通信ネットワーク、および宅内ネットワークに接続された映像受信端末装置（以下、映像受信端末と称す）などで構成される映像配信システムにおいて、ユーザは、映像を視聴するための端末である映像受信端末を操作することにより、通信事業者や映像配信事業者の映像配信サーバで提供される、ＶＯＤ（Ｖｉｄｅｏ  Ｏｎ  Ｄｅｍａｎｄ）サービスや、ＩＰ（Ｉｎｔｅｒｎｅｔ  Ｐｒｏｔｏｃｏｌ）放送および映像ダウンロードサービスなどを利用することが可能となってきた。
【０００３】
図１４（ａ）に、従来の映像ダウンロードサービスにおける映像コンテンツの処理内容を説明する図を示す。
【０００４】
従来の映像ダウンロードサービスでは、図１４（ａ）に示すように、映像受信端末２００は、映像配信サーバ２１０から映像コンテンツをダウンロードして、内蔵されたＨＤＤ２０１内に蓄積する。
【０００５】
そして、映像受信端末２００は、その映像コンテンツを購入した際に取得した視聴ライセンスによりその映像コンテンツの再生が許可され、ＨＤＤ２０１に蓄積した映像コンテンツを復号化して出力することが可能となり、接続されたディスプレイ２０２などに出力させて視聴することができる。また、その映像コンテンツを他のメディアに書き込むことが許可されている場合には、ＨＤＤ２０１に蓄積した映像コンテンツを復号化し、エキスポート用の暗号化をした後、リムーバブルメディア２０３に書き込むこともできる。
【０００６】
映像ダウンロードサービスを利用する際、映像配信サーバは自身に接続される映像受信端末がダウンロードサービスに対応しているか調べる必要がある。なぜならダウンロードサービスに対応していない映像受信端末へ映像コンテンツを配信すると、当然のことながら、何らかのエラーが生じ、ユーザへの対応が必要となるからである。
【０００７】
このような問題を回避するために、映像配信サーバおよび映像受信端末は、ダウンロードサービス実施前に、サービスが実施可能であるかどうか判断することが望ましい。特許文献１には、このようなサービスの実施可否判断を行う方法が開示されている。
【０００８】
特許文献１におけるサービスの実施可否判断では、映像受信端末は、映像配信サーバから送信されるデータを解析し、映像配信サーバによって提供されるサービスに対応するために必要な映像受信端末内のアプリケーションを調べる。映像受信端末内にそのアプリケーションが存在し、サービスに対応可能な場合は、そのサービスの実施を継続する。また、サービスに対応不可の場合は、アプリケーションのインストール方法など、そのサービスに対応するために必要な情報をユーザに提示する。
【０００９】
以上のようにして、サービス実施前に、映像受信端末によるサービスの実施可否の判断を実現していた。
【００１０】
このように、従来のダウンロードサービスでは、映像受信端末のダウンロードサービスの可否をダウンロード開始前に確認することにより、ダウンロード中に生じるエラーを防止していた。
【００１１】
また、従来の映像ダウンロードサービスでは、映像受信端末が保持する内蔵ＨＤＤに上述のようにダウンロードして記録した映像コンテンツを、リムーバブルメディアに書き込んで持ち出し、携帯端末でその映像コンテンツを視聴可能とする映像コンテンツエキスポートサービスも行われている。
【先行技術文献】
【特許文献】
【００１２】
【特許文献１】特表２００６−５１２６８９号公報
【発明の概要】
【発明が解決しようとする課題】
【００１３】
ところで最近では、ＨＤＤを保持しない映像受信端末が、映像配信サーバから映像コンテンツをダウンロードし、映像受信端末に記録せずに直接リムーバブルメディアへエキスポートする、という直接エキスポートサービスも行われるようになってきた。
【００１４】
図１４（ｂ）に、直接エキスポートサービスにおける映像コンテンツの処理内容を説明する図を示す。
【００１５】
直接エキスポートサービスでは、内蔵するＨＤＤ２０１などに映像コンテンツを蓄積することなく、映像配信サーバ２１０からダウンロードする映像コンテンツを直接リムーバブルメディア２０３に記録する。
【００１６】
図１４（ｂ）に示すように、直接エキスポートサービスでは、映像受信端末２０５は、エキスポートライセンスを取得すると、そのライセンスに対応する映像コンテンツを直接リムーバブルメディア２０３に書き込むことが許可され、映像配信サーバ２１０から映像コンテンツをダウンロードしながら、バッファ２０６を介して復号化し、エキスポート用の暗号化をしてリムーバブルメディア２０３に書き込んでいく。バッファ２０６は、ダウンロードする映像コンテンツを連続して復号化および暗号化処理させるために必要な量の映像コンテンツのデータを一時的に記録するものであり、図１４（ａ）のＨＤＤ２０１のように、最終的に映像コンテンツが保持されるものではない。
【００１７】
図１４（ａ）に示すような従来のダウンロードサービスの場合、映像コンテンツを蓄積できる大容量のＨＤＤを内蔵する映像受信端末でなければ、そのサービスを利用することができないが、直接エキスポートサービスの場合、例えば大容量のＨＤＤを内蔵していない映像受信端末であっても、インターネットを介して映像配信サーバ２１０に接続できリムーバブルメディア２０３への書き込みができれば、そのサービスを利用することができる。
【００１８】
しかしながら、ダウンロードサービスを対象とした従来のサービス可否判断方法は、直接エキスポートサービスのサービス可否判断方法としてそのまま適用することができない。
【００１９】
従来のダウンロードサービスでは、映像コンテンツのサイズに比べ、ＨＤＤの容量が十分大きかったため、ダウンロードサービス開始前の容量確認はそれほど重要ではなかった。
【００２０】
しかしながら直接エキスポートサービスで映像コンテンツが記録されるリムーバブルメディアは、ＨＤＤに比べ容量が小さく、著作権保護方式も種類が多い。そのため、従来のダウンロードサービスに比べ、直接エキスポートサービスはダウンロード処理時のエラーが発生する可能性が高い。
【００２１】
図１４（ｂ）に示すように、直接エキスポートサービスでは内蔵するＨＤＤの対応可否を判断する必要は無いが、ダウンロードされる映像コンテンツが直接リムーバブルメディア２０３に記録されるので、映像受信端末がそもそも直接エキスポートサービスに対応しているか確認する静的な能力の可否判断と共に、現在映像受信端末に挿入されているリムーバブルメディアの空き容量が問題ないかや、著作権保護方式は対応しているかなど、直接エキスポートサービスに対応しているか確認する動的な能力の可否判断が必要となる。
【００２２】
したがって、リムーバブルメディアにおけるサービス対応可否を判断していなかった従来のダウンロードサービス可否判断を、直接エキスポートサービスにそのまま適用することはできない。
【００２３】
なお、従来の映像ダウンロードサービスでは、映像コンテンツの購入処理とダウンロード処理が連続であるので、映像コンテンツの購入処理時に一度だけ映像コンテンツのダウンロード可否の判断を行なえばよかった。一方、直接エキスポートサービスでは、映像コンテンツの購入処理とエキスポート処理が非連続である。これは、１回のコンテンツ購入に対しエキスポート処理が複数回行われる場合があることによる。したがって、直接エキスポートサービスでは、映像コンテンツの購入処理とエキスポート処理の各処理時において、エキスポート処理に対する可否判断が必要となる。
【００２４】
ここで注意しなければならないことは、各処理において可否判断の基準が必ずしも一致しないことである。例えば、映像受信端末は直接エキスポートサービスに対応していて、リムーバブルメディアが直接エキスポートに対応していない場合について考えてみる。直接エキスポート処理を行う場合ではリムーバブルメディアが対応していないため、その後のエキスポート処理を継続してはならない。しかし、映像コンテンツの購入を行う場合では、その後の直接エキスポート処理を開始するまでにリムーバブルメディアを交換するなど対策を取れば直接エキスポートを実施することは可能である。このような場合では映像コンテンツ購入時に警告メッセージを表示した後で、映像コンテンツの購入処理を継続させることが考えられる。
【００２５】
本発明は、このような課題を鑑みてなされたものであり、コンテンツの直接エキスポートに関して、受信端末の対応可否とともに、記録先のリムーバブルメディアの対応可否を判断できる、受信端末およびコンテンツのエキスポート方法等を提供することを目的とする。
【課題を解決するための手段】
【００２８】
上述した課題を解決するために、第１の本発明は、
コンテンツのダウンロードサービスを提供するコンテンツサーバから前記コンテンツを受信し、前記コンテンツを直接リムーバブルメディアに記録できる直接エキスポートサービスに対応した受信端末であって、
前記受信端末に要求される能力に関する情報および前記リムーバブルメディアに要求される能力に関する情報を含む、前記コンテンツのエキスポートに必要な情報を、前記コンテンツサーバから取得するデータ取得部と、
前記受信端末が備える能力の情報と前記受信端末に要求される能力に関する情報とを比較するとともに、前記リムーバブルメディアが備える能力の情報と前記リムーバブルメディアに要求される能力に関する情報とを比較し、前記コンテンツのエキスポート処理の実行可否を判断する可否判断部と、
前記可否判断部の判断結果に応じて、前記コンテンツの購入またはエキスポートに関連した処理を行わせる制御部と、を備え、
前記エキスポート処理の実行可否の判断は、前記コンテンツの購入時および前記コンテンツのエキスポート実行時に行なわれ、
前記可否判断部は、前記エキスポート処理の実行可否に関して、エキスポート処理可能、エキスポート処理不可能であるが復旧可能、およびエキスポート処理不可能であり復旧不可能、のいずれかの判断をし、
前記購入時においては、前記制御部は、前記エキスポート処理可能と判断された場合は、購入画面を表示させ、前記エキスポート処理不可能であるが復旧可能と判断された場合は、エキスポート不可の表示をさせ、前記購入画面を表示させ、前記エキスポート処理不可能であるが復旧不可能と判断された場合は、前記エキスポート不可の表示をさせるが前記購入画面を表示させず、
前記エキスポート実行時においては、前記制御部は、前記エキスポート処理可能と判断された場合は、エキスポートを実行させる画面を表示させ、前記エキスポート処理不可能であるが復旧可能および前記エキスポート処理不可能であり復旧不可能と判断された場合は、前記エキスポート不可の表示をさせるが前記エキスポートを実行させる画面を表示させない、受信端末である。
【００２９】
また、第２の本発明は、
前記エキスポート処理不可能であるが復旧可能と判断される場合とは、前記リムーバブルメディアの容量が不足している場合、前記リムーバブルメディアが前記受信端末に挿入されていない場合、または前記リムーバブルメディアが直接エキスポートに未対応の場合であり、
前記エキスポート処理不可能であり復旧不可能と判断される場合とは、前記受信端末が直接エキスポートサービスに未対応の場合、または前記受信端末が故障している場合である、第１の本発明の受信端末である。
【００３０】
また、第３の本発明は、
前記購入画面および前記エキスポートを実行させる画面は、前記可否判断部による判断結果を前記受信端末から受信した前記コンテンツサーバから送られてくる画面である、第１の本発明の受信端末である。
【００３３】
また、第４の本発明は、
コンテンツのダウンロードサービスを提供するコンテンツサーバから前記コンテンツを受信し、前記コンテンツを直接リムーバブルメディアに記録できる直接エキスポートサービスに対応した受信端末であって、
前記受信端末に要求される能力に関する情報および前記リムーバブルメディアに要求される能力に関する情報を含む、前記コンテンツのエキスポートに必要な情報を、前記コンテンツサーバから取得するデータ取得部と、
前記受信端末が備える能力の情報と前記受信端末に要求される能力に関する情報とを比較するとともに、前記リムーバブルメディアが備える能力の情報と前記リムーバブルメディアに要求される能力に関する情報とを比較し、前記コンテンツのエキスポート処理の実行可否を判断する可否判断部と、
前記可否判断部の判断結果に応じて、前記コンテンツの購入またはエキスポートに関連した処理を行わせる制御部と、を備え、
前記リムーバブルメディアに要求される能力に関する情報は、リサイズ条件を含んでいる、受信端末である。
【００３４】
また、第５の本発明は、
前記コンテンツの購入時において、前記制御部は、前記エキスポート処理可能または前記エキスポート処理不可能であるが復旧可能と判断した場合であって、リサイズしなければ前記コンテンツを前記リムーバブルメディアへ記録できない場合には、前記コンテンツのリサイズの可否をユーザに確認し、前記ユーザがリサイズを許可しないときには購入画面を表示させない、第４の本発明の受信端末である。
【００３５】
また、第６の本発明は、
コンテンツのダウンロードサービスを提供するコンテンツサーバから前記コンテンツを受信し、前記コンテンツを直接リムーバブルメディアに記録できる直接エキスポートサービスに対応した受信端末の前記コンテンツのエキスポート方法であって、
前記コンテンツの購入時に、購入したい前記コンテンツのエキスポートに必要な情報を前記受信端末が取得し、前記受信端末が備える能力の情報および前記リムーバブルメディアが備える能力の情報のそれぞれと比較して、エキスポート処理の実行可否を、エキスポート処理可能、エキスポート処理不可能であるが復旧可能、およびエキスポート処理不可能であり復旧不可能、のいずれかと判断する第１判断ステップと、
前記第１判断ステップで、前記エキスポート処理可能と判断された場合は、購入画面を表示させ、前記エキスポート処理不可能であるが復旧可能と判断された場合は、エキスポート不可の表示をさせ、前記購入画面を表示させ、前記エキスポート処理不可能であるが復旧不可能と判断された場合は、前記エキスポート不可の表示をさせるが前記購入画面を表示させない第１表示ステップと、
前記購入画面の表示に対して、操作画面を介してユーザから購入確定の入力があった場合に購入処理を確定する購入確定ステップと、
前記コンテンツのエキスポート実行時に、前記エキスポートに必要な情報または新たに前記エキスポートに必要な情報を前記受信端末が取得し、前記受信端末が備える能力の情報および前記リムーバブルメディアが備える能力の情報のそれぞれと比較して、前記エキスポート処理の可否を判断する第２判断ステップと、
前記第２判断ステップで、前記エキスポート処理可能と判断された場合は、エキスポートを実行させる画面を表示させ、前記エキスポート処理不可能であるが復旧可能と判断された場合および前記エキスポート処理不可能であるが復旧不可能と判断された場合は、前記エキスポート不可の表示をさせるが前記エキスポートを実行させる画面を表示させない第２表示ステップと、
前記エキスポートを実行させる画面の表示に対して、前記操作画面を介してユーザからエキスポート実行の指示があった場合に前記エキスポートを実行するエキスポート実行ステップとを備えた、コンテンツのエキスポート方法である。
【００３６】
また、第７の本発明は、
第６の本発明のコンテンツのエキスポート方法の、前記コンテンツの購入時に、エキスポート処理の実行可否を判断する前記第１判断ステップ、前記第１判断ステップにおける判断結果に応じて表示を制御する前記第１表示ステップ、前記コンテンツのエキスポート実行時に、前記エキスポート処理の可否を判断する前記第２判断ステップ、前記第２判断ステップにおける判断結果に応じて表示を制御する前記第２表示ステップをコンピュータに実行させるプログラムを記録した記録媒体であって、コンピュータにより処理可能な記録媒体である。
【発明の効果】
【００３７】
本発明により、コンテンツの直接エキスポートに関して、受信端末の対応可否とともに、記録先のリムーバブルメディアの対応可否を判断できる、受信端末およびコンテンツのエキスポート方法等を提供できる。
【図面の簡単な説明】
【００３８】
【図１】本発明の実施の形態１の映像受信端末の構成を示すブロック図
【図２】本発明の実施の形態１における、映像コンテンツ購入時の映像受信端末および映像配信サーバの動作および通信シーケンスを示した図
【図３】本発明の実施の形態１の、映像コンテンツ購入時の映像受信端末における映像コンテンツのエキスポート可否判断を行う手順を示すフローチャート
【図４】（ａ）本発明の実施の形態１の、映像コンテンツダウンロードサービスのメニュー画面の表示例を示す図、（ｂ）本発明の実施の形態１の、提供コンテンツの一覧画面の表示例を示す図、（ｃ）本発明の実施の形態１の、映像コンテンツの詳細情報を表示する画面の表示例を示す図、（ｄ）本発明の実施の形態１の、映像コンテンツ購入時の判断結果と判断理由を表示する画面の表示例を示す図、（ｅ）本発明の実施の形態１の、購入画面への遷移を可能とする画面の表示例を示す図
【図５】（ａ）本発明の実施の形態１の、購入に必要なユーザ情報を入力させる画面の表示例を示す図、（ｂ）本発明の実施の形態１の、コンテンツ購入の実行を指示するための画面の表示例を示す図、（ｃ）本発明の実施の形態１の、コンテンツ購入を完了したことを示す画面の表示例を示す図
【図６】本発明の実施の形態１における、映像コンテンツのエキスポート実行時の映像受信端末および映像配信サーバの動作および通信シーケンスを示した図
【図７】本発明の実施の形態１の、映像コンテンツのエキスポート実行時の映像受信端末における映像コンテンツのエキスポート可否判断を行う手順を示すフローチャート
【図８】（ａ）本発明の実施の形態１の、購入済みコンテンツの一覧を示す画面の表示例を示す図、（ｂ）本発明の実施の形態１の、リムーバブルメディアの種類を選択する画面の表示例を示す図、（ｃ）本発明の実施の形態１の、リムーバブルメディアの種類とエキスポートする映像コンテンツを指定したときの画面の表示例を示す図、（ｄ）本発明の実施の形態１の、映像コンテンツのエキスポート実行時の判断結果と判断理由を表示する画面の表示例を示す図、（ｅ）本発明の実施の形態１の、エキスポート処理を実行するボタンを表示する画面の表示例を示す図、（ｆ）本発明の実施の形態１の、エキスポート処理を受け付け、エキスポートを開始したことを示す画面の表示例を示す図
【図９】本発明の実施の形態２の映像受信端末の構成を示すブロック図
【図１０】本発明の実施の形態２における、映像コンテンツ購入時の映像受信端末および映像配信サーバの動作および通信シーケンスを示した図
【図１１】本発明の実施の形態２の、映像コンテンツ購入時の映像受信端末における映像コンテンツのエキスポート可否判断を行う手順を示すフローチャート
【図１２】本発明の実施の形態２の、映像コンテンツ購入時の映像受信端末における、ユーザのリサイズ可否判断に基づいて映像コンテンツのエキスポート可否判断を行う手順を示すフローチャート
【図１３】本発明の実施の形態２の、ユーザに対してトランスコードの許可確認を行う画面の表示例を示す図
【図１４】（ａ）従来の映像ダウンロードサービスにおける映像コンテンツの処理内容を説明するための図、（ｂ）直接エキスポートサービスにおける映像コンテンツの処理内容を説明するための図
【発明を実施するための形態】
【００３９】
以下に、本発明を実施するための形態について、図面を参照しながら説明する。
【００４０】
（実施の形態１）
図１は、本発明の実施の形態１の映像受信端末の構成を示すブロック図である。
【００４１】
図１において、本実施の形態１の映像受信端末１００は、データ取得送信部１０１、ネットワークＩ／Ｆ部１０２、制御部１０３、エキスポート対応可否確認部１０４、端末対応可否確認部１０５、リムーバブルメディア対応可否確認部１０６、表示部１０７、リムーバブルメディア部１０８、ユーザ操作受付部１０９、受信バッファ１１０、コンテンツ復号部１１１、およびコンテンツ暗号化部１１２を備えており、ユーザが所望の映像コンテンツを選択し、映像コンテンツの購入処理をする場合、および映像コンテンツのエキスポートを行う場合の各処理時に、ユーザが選択した映像コンテンツのエキスポート可否判断を行う機能を有する。
【００４２】
なお、映像受信端末１００は、通信事業者や映像配信事業者などが提供する直接エキスポートサービスにおける映像コンテンツを、通信ネットワークを介して受信できる機能を有する映像受信端末であり、このような映像受信端末１００としては、デジタルテレビ、セットトップボックスおよびパーソナルコンピュータ等が考えられるが、これらに限定されるものではない。
【００４３】
図１において、破線で示す矢印は、映像コンテンツのデータの流れを示しており、実線で示す矢印は、映像コンテンツのデータ以外の情報の流れを示している。
【００４４】
ネットワークＩ／Ｆ部１０２は、外部通信ネットワークを介して、通信事業者や映像配信事業者などが提供する映像配信サーバ１２０に接続されている。
【００４５】
データ取得送信部１０１は、ネットワークＩ／Ｆ部１０２を介して映像配信サーバ１２０から送信されるＨＴＭＬコンテンツおよび映像コンテンツを受信し、また、制御部１０３から指示されるデータをネットワークＩ／Ｆ部１０２を介して映像配信サーバ１２０へ送信する。
【００４６】
制御部１０３は、映像受信端末１００内の各操作における制御を行う。
【００４７】
エキスポート対応可否確認部１０４は、映像配信サーバ１２０から送信されるデータ内に含まれる映像コンテンツの情報を利用して、映像受信端末１００がこの映像コンテンツをリムーバブルメディア部１０８へエキスポートできるか否かを確認する。
【００４８】
端末対応可否確認部１０５は、エキスポート対応可否確認部１０４から映像コンテンツの情報を取得し、映像受信端末１００の機能が映像コンテンツのエキスポート条件を満足するか確認する。
【００４９】
リムーバブルメディア対応可否確認部１０６は、エキスポート対応可否確認部１０４から映像コンテンツの情報を取得し、リムーバブルメディア部１０８の機能が映像コンテンツのエキスポート条件を満足するか確認する。
【００５０】
表示部１０７は、制御部１０３より表示要求のあったデータを表示し、ユーザに提示する。
【００５１】
リムーバブルメディア部１０８は、映像コンテンツを記録するメディアである。このメディアとしては、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ（登録商標））、ＳＤメモリーカード（Ｓｅｃｕｒｅ  Ｄｉｇｉｔａｌ  Ｍｅｍｏｒｙ  Ｃａｒｄ）、メモリースティックなどが考えられるが、これらに限定されるものではない。通常、このリムーバブルメディア部１０８は可搬型のものである。
【００５２】
ユーザ操作受付部１０９は、ユーザのリモコン操作等による外部からの映像コンテンツ購入要求または映像コンテンツエキスポート要求を受け付け、受け付けた映像コンテンツ購入要求または映像コンテンツエキスポート要求を制御部１０３へ送信する。
【００５３】
コンテンツ復号部１１１は、映像配信サーバ１２０からダウンロードされてくる映像コンテンツを、受信バッファ１１０を介してデータ取得送信部１０１から受け取り、復号する。
【００５４】
コンテンツ暗号化部１１２は、コンテンツ復号部１１１で復号された映像コンテンツのデータに対して、リムーバブルメディア部１０８にエキスポートするための暗号化を行い、暗号化した映像コンテンツのデータをリムーバブルメディア部１０８に書き込む。
【００５５】
受信バッファ１１０は、ダウンロード中の映像コンテンツのデータをコンテンツ復号部１１１およびコンテンツ暗号化部１１２に処理させるために必要量のデータを一時記録するバッファであり、ＲＡＭなどが使用される。
【００５６】
なお、映像受信端末１００が、本発明の受信端末の一例にあたり、映像配信サーバ１２０が、本発明のコンテンツサーバの一例にあたる。また、本実施の形態１で扱う映像コンテンツが、本発明のコンテンツの一例にあたる。また、データ取得送信部１０１が、本発明のデータ取得部の一例にあたる。また、図１に二点鎖線で囲んで示した、エキスポート対応可否確認部１０４、端末対応可否確認部１０５およびリムーバブルメディア対応可否確認部１０６を合わせた可否判断部５００の構成が、本発明の可否判断部の一例にあたる。
【００５７】
次に、映像受信端末１００における映像コンテンツ購入時のエキスポート可否判断手順と、映像コンテンツエキスポート実行時のエキスポート可否判断手順のそれぞれについて説明する。
【００５８】
まず、図１〜図５を用いて映像受信端末１００における映像コンテンツ購入時のエキスポート可否判断手順について説明する。
【００５９】
図２は、映像コンテンツ購入時の映像受信端末１００および映像配信サーバ１２０における動作および通信シーケンスを示している。図３は、映像コンテンツ購入時の映像受信端末１００におけるエキスポート可否判断を行う手順を示すフローチャートである。図４（ａ）〜（ｅ）および図５（ａ）〜（ｃ）は、それぞれ、映像コンテンツ購入時における表示部１０７によって表示される画面表示例を示している。
【００６０】
図４（ａ）は、映像コンテンツダウンロードサービスのメニュー画面の表示例である。この画面は、ユーザのリモコンなどの操作により映像配信サーバ１２０からＨＴＭＬデータを受信し、そのＨＴＭＬデータにしたがって制御部１０３が表示部１０７によって表示させるものである。
【００６１】
図４（ａ）のメニュー画面には、購入コンテンツ画面選択ボタン１５０と購入済みコンテンツ画面選択ボタン１５１が表示され、ユーザが購入コンテンツ画面選択ボタン１５０を選択すると、ユーザが購入したい映像コンテンツを選択するための検索用画面が表示される（図示省略）。
【００６２】
図４（ｂ）は、ユーザが、提供コンテンツを選択するための画面において検索用キーワードなどを入力して検索された提供コンテンツの一覧を示す画面の表示例である。
【００６３】
提供コンテンツを選択するための検索用画面で、購入したい映像コンテンツを探すために、検索用キーワードを入力して検索指示をすると、ユーザ操作受付部１０９はユーザからの検索指示（提供コンテンツ表示指示３００）を受け取り制御部１０３に送信し、制御部１０３は、データ取得送信部１０１によって提供コンテンツ表示指示３０１を映像配信サーバ１２０へ送信させる（ステップＳ１０１）。
【００６４】
映像配信サーバ１２０は、提供コンテンツ表示指示３０１を受信すると、ユーザが入力した検索用キーワードに該当する映像コンテンツを抽出し、抽出した映像コンテンツの一覧画面を生成３０２する。そして、生成した提供コンテンツ一覧画面３０３を映像受信端末１００へ送信する。映像受信端末１００の制御部１０３は、データ取得送信部１０１から提供コンテンツ一覧画面３０３を受け取ると、表示部１０７によって、図４（ｂ）のような提供コンテンツ一覧画面を表示させる。
【００６５】
図４（ｂ）の表示例では、ユーザの検索指示によって検索された映像コンテンツは３つであり、３つの映像コンテンツのタイトルを示す提供コンテンツ項目１５２〜１５４が表示されている。
【００６６】
図４（ｃ）は、ユーザが購入を希望する映像コンテンツの詳細情報を表示する画面の表示例を示している。
【００６７】
図４（ｂ）の提供コンテンツ一覧画面で、ユーザが購入を希望する映像コンテンツのタイトルの項目を選択すると、その詳細情報が図４（ｃ）のように表示される。
【００６８】
ここでは、図４（ｂ）の画面において、ユーザは提供コンテンツ項目１５２を選択したものとする。映像受信端末１００におけるユーザ操作受付部１０９は、ユーザからの購入希望コンテンツの選択情報３０５を受信し、受信した購入希望コンテンツ選択情報３０５を制御部１０３へ送信する（ステップＳ１０２）。制御部１０３は、データ取得送信部１０１へコンテンツ詳細画面要求を送信する。データ取得送信部１０１は、ネットワークＩ／Ｆ部１０２を介してコンテンツ詳細画面要求３０６を映像配信サーバ１２０へ送信する。
【００６９】
映像配信サーバ１２０は、コンテンツ詳細画面要求３０６を受信すると、ユーザが選択した提供コンテンツ項目１５２に対応する映像コンテンツの詳細情報を含むコンテンツ詳細画面を生成３０７する。そして、生成したコンテンツ詳細画面３０８を映像受信端末１００へ送信する。
【００７０】
映像配信サーバ１２０は、コンテンツ詳細画面３０８を映像受信端末１００へ送信する際に、エキスポートに関するデータであるエキスポート条件４００もコンテンツ詳細画面３０８のデータに含めて送信する。このとき映像配信サーバ１２０が送信するコンテンツ詳細画面３０８のデータはＨＴＭＬやＸＭＬなどが考えられ、エキスポート条件４００として、映像コンテンツのサイズや再生時間、映像コンテンツのビットレートなどが考えられるが、これに限るものではない。
【００７１】
映像受信端末１００のデータ取得送信部１０１は、ネットワークＩ／Ｆ部１０２を介して映像配信サーバ１２０からコンテンツ詳細画面３０８を取得し、制御部１０３へ送信する。コンテンツ詳細画面３０８を受信した制御部１０３は、コンテンツ詳細画面を表示部１０７へ渡す。コンテンツ詳細画面を取得した表示部１０７は、図４（ｃ）に示すようなコンテンツ詳細画面３０９を表示する（ステップＳ１０３）。
【００７２】
コンテンツ詳細画面には、図４（ｃ）に示すように、ユーザが購入を希望したコンテンツの詳細表示１５５とともに、メディア選択表示１５６と購入手続画面選択ボタン１５７が表示される。このときにはまだエキスポートの対応可否の判断を行っていないため、購入手続画面選択ボタン１５７は選択できない状態となっている。
【００７３】
メディア選択表示１５６には、映像受信端末１００において書き込みが可能なリムーバブルディスクの一覧が表示される。図４（ｃ）の例では、エキスポートする記録先のリムーバブルディスクとして、ＢＤ、ＤＶＤおよびＳＤカードのいずれかを選択できるようになっている。このような、映像受信端末１００で書き込み可能なリムーバブルディスクの情報は、映像配信サーバ１２０が事前に映像受信端末１００から取得しており、映像配信サーバ１２０が、コンテンツ詳細画面生成３０７の際に、メディア選択表示１５６を含む詳細画面を生成する。
【００７４】
ユーザは、図４（ｃ）のメディア選択表示１５６に示されるリムーバブルメディアの中からＢＤを選択し、そのボタンを押下したものとする。ユーザ操作受付部１０９は、ユーザからのエキスポート先メディア選択指示３１０を受信し、受信したエキスポート先メディア選択３１０を制御部１０３へ送信する（ステップＳ１０４）。
【００７５】
エキスポート先メディア選択３１０を受信した制御部１０３は、エキスポート対応可否確認部１０４へエキスポート可否確認要求を送信し、エキスポート対応可否確認部１０４にエキスポート対応可否を確認３１１させる（ステップＳ１０５）。
【００７６】
エキスポート可否確認要求を受信したエキスポート対応可否確認部１０４は、データ取得送信部１０１からコンテンツ詳細画面のデータを取得し、そのデータに含まれるエキスポート条件４００を抽出する（ステップＳ１０６）。
【００７７】
エキスポート条件４００を抽出したエキスポート対応可否確認部１０４は、それぞれに必要なデータを、端末対応可否確認部１０５とリムーバブルメディア対応可否確認部１０６へ送信すると共に、それぞれに対してエキスポート対応可否確認を要求する。
【００７８】
端末対応可否確認部１０５は、映像受信端末１００が備える能力とエキスポート対応可否確認部１０４から送信されてきたデータとを比較して映像受信端末１００についての対応可否を確認し、リムーバブルメディア対応可否確認部１０６は、ステップＳ１０４でユーザに選択されたリムーバブルメディア部１０８が備える能力とエキスポート対応可否確認部１０４から送信されてきたデータとを比較してリムーバブルメディア部１０８についての対応可否を確認する。それぞれ確認した結果をエキスポート対応可否確認部１０４に送信し、確認結果を受信したエキスポート対応可否確認部１０４は、エキスポート可能であるか判断する（ステップＳ１０７）。
【００７９】
なお、エキスポート条件４００が、本発明の、コンテンツのエキスポートに必要な情報の一例にあたる。また、端末対応可否確認部１０５に必要なデータが、本発明の受信端末に要求される能力に関する情報の一例にあたり、リムーバブルメディア対応可否確認部１０６に必要なデータが、本発明のリムーバブルメディアに要求される能力に関する情報の一例にあたる。
【００８０】
エキスポート対応可否確認部１０４がエキスポート条件４００から抽出して端末対応可否確認部１０５へ送信する端末対応可否確認部１０５に必要なデータとは、例えば、映像コンテンツの直接エキスポートの可否を示す情報などである。
【００８１】
また、エキスポート対応可否確認部１０４がエキスポート条件４００から抽出してリムーバブルメディア対応可否確認部１０６へ送信するリムーバブルメディア対応可否確認部１０６に必要なデータとは、例えば、映像コンテンツのサイズ、再生時間、映像コンテンツのビットレートなどである。
【００８２】
例えば、リムーバブルメディア対応可否確認部１０６は、映像コンテンツのサイズをリムーバブルメディア部１０８に記録可能なサイズと比較することにより、リムーバブルメディア部１０８に記録できるか否かを判断する。また、ダウンロードした形式のままでは映像コンテンツのサイズが大きくてリムーバブルメディア部１０８に記録できない場合でも、サイズを圧縮することにより記録可能となる場合があり、そのような場合に、再生時間を利用して圧縮後の映像コンテンツのデータサイズを算出することができる。また、リムーバブルメディア部１０８の種類によって読み出し時のビットレートが異なっており、映像コンテンツのビットレートがリムーバブルメディア部１０８の読み出し時のビットレートを超える場合には、その映像コンテンツをリムーバブルメディア部１０８から読み出しながら正常に再生することができないため、このような場合には、リムーバブルメディア対応可否確認部１０６は、エキスポート対応不可と判断する。
【００８３】
エキスポート対応可否確認部１０４は、判断結果を制御部１０３へ送信する。判断結果を受信した制御部１０３は、判断結果に応じて表示部１０７への表示要求を変更する（ステップＳ１０８）。なお、この判断結果に応じた表示内容のルールは映像配信サーバ１２０から受信するコンテンツ詳細画面３０８のデータ内に含まれることが考えられるが、これに限定されるものではない。
【００８４】
ステップＳ１０８における判断の結果、何も問題がなかった場合（ＯＫの場合）、制御部１０３は、画面上に購入画面へ遷移するボタンを表示するように表示部１０７へ要求する（ステップＳ１０９）。
【００８５】
図４（ｅ）は、購入画面への遷移を可能とする画面の表示例を示している。
【００８６】
この場合、表示部１０７は、図４（ｃ）では選択できないようにしていた購入手続画面選択ボタン１５７を、図４（ｅ）に示すように、選択可能に変更する。
【００８７】
ステップＳ１０８における判断の結果、リムーバブルメディア部１０８の容量が足りない、リムーバブルメディア部１０８が挿入されていない、挿入されているリムーバブルメディア部１０８は直接エキスポートに未対応であるがリムーバブルメディア部１０８を交換することによりエキスポートが可能になる、などの復旧可能な問題が発生した場合（ＷＡＲＮＩＮＧの場合）、制御部１０３は、画面上に判断結果と判断理由を表示するように表示部１０７へ要求する。
【００８８】
図４（ｄ）は、画面上に判断結果と判断理由を表示する画面の表示例を示している。
【００８９】
この場合、例えば表示部１０７は、図４（ｄ）の判断結果表示１５８のように、判断結果と判断理由を画面上にポップアップ表示３１２させる。
【００９０】
図４（ｄ）の判断結果表示１５８をユーザが確認すると、次に制御部１０３は、判断結果がＷＡＲＮＩＮＧであっても、画面上に購入画面へ遷移するボタンを表示するように表示部１０７へ要求する。購入画面へ遷移するボタンの表示の要求を受けた表示部１０７は、判断結果表示１５８を消して、図４（ｅ）に示す購入手続画面選択ボタン１５７を選択可能とした画面を表示する（ステップＳ１１０）。
【００９１】
ステップＳ１０８における判断の結果、映像受信端末１００が直接エキスポートサービスに対応していない、映像受信端末１００が故障して直接エキスポート処理を実行できない、などの復旧不可能な問題が発生した場合（ＮＧの場合）、制御部１０３は画面上に判断結果と判断理由を表示するように表示部１０７へ要求する（ステップＳ１１１）。表示部１０７は、図４（ｄ）の判断結果表示１５８のように、判断結果と判断理由を画面上にポップアップ表示３１９させる。
【００９２】
ただし、この場合は、判断結果表示１５８をユーザが確認しても、制御部１０３は、購入手続画面選択ボタン１５７を選択可能とさせずに、コンテンツ購入処理を終了３２０する。
【００９３】
なお、ステップＳ１０８における判断処理が、本発明の第１判断ステップの一例にあたり、ステップＳ１０９〜Ｓ１１１における表示処理が、本発明の第１表示ステップの一例にあたる。
【００９４】
図５（ａ）は、購入に必要なユーザ情報を入力させる画面の表示例を、図５（ｂ）は、コンテンツ購入を実行指示させるための画面の表示例を、図５（ｃ）は、コンテンツ購入を完了したことを示す画面の表示例を、それぞれ示している。
【００９５】
ステップＳ１０９またはステップＳ１１０において表示される図４（ｅ）の表示で、購入手続画面選択ボタン１５７をユーザが押下すると、制御部１０３は、表示部１０７によって、例えば図５（ａ）のような購入情報を入力するための画面３１３を表示させる。
【００９６】
図５（ａ）の購入情報入力画面において、ユーザが、カード番号入力エリア１５９にクレジットカードの番号を入力３１４後、カード番号入力確定ボタン１６０を押下すると、制御部１０３は、表示部１０７によって図５（ｂ）に示すような、映像コンテンツの購入を実行するためのコンテンツ購入実行ボタン１６１を表示させる。
【００９７】
図５（ｂ）において、ユーザがコンテンツ購入実行ボタン１６１を押下すると、制御部１０３は、ユーザが入力したクレジットカードの番号情報を、入力ユーザ情報３１５として、データ取得送信部１０１によって映像配信サーバ１２０へ送信させる。
【００９８】
映像配信サーバ１２０は、入力ユーザ情報３１５を受信すると、クレジットカードの番号を照会する等のコンテンツ購入確定処理３１６を行う。そして、コンテンツ購入確定処理３１６が正常に終了すると、映像コンテンツをダウンロードするためのＵＲＬなどのコンテンツ取得情報３１７を、映像受信端末１００へ送信する。
【００９９】
映像受信端末１００の制御部１０３は、データ取得送信部１０１からコンテンツ取得情報３１７を受け取ると、表示部１０７によって図５（ｃ）のように画面上に購入完了表示１６２を表示させ、映像コンテンツの購入処理が正常に完了したことをユーザに通知する。
【０１００】
なお、図４（ｅ）の画面で、ユーザが購入手続画面選択ボタン１５７を押下した後、図５（ｃ）の購入完了表示１６２が表示されるまでの処理が、本発明の購入確定ステップの一例にあたる。
【０１０１】
なお、上記では、映像受信端末１００で使用可能なリムーバブルメディアのうち、ユーザが選択した１つのリムーバブルメディア（上記例では、ＢＤ）に対するエキスポート可否を判断して購入確定処理を行うこととしたが、これに限らず、例えばユーザが選択する複数のリムーバブルメディアのそれぞれについてエキスポート可否の判断を行なわせた後に、購入確定処理を行わせるようにしてもよい。
【０１０２】
また、映像コンテンツのライセンス購入は、１回のエキスポート処理を行うためのライセンスの購入に限らず、複数回のエキスポート処理を行うためのライセンスを購入することも多い。複数回のエキスポート処理に対するライセンスを購入する場合も、上記した１回の映像コンテンツの購入処理で、複数回分のエキスポートライセンスを購入する。
【０１０３】
何回分のエキスポート処理のライセンスを購入するかは、例えば、図４（ｂ）の提供コンテンツの一覧を表示する際や、図５（ａ）や図５（ｂ）の購入のためのユーザ情報を入力する際に、エキスポート回数を指定させるようにする。また、映像コンテンツの提供者側で、映像コンテンツ毎に予め所定のエキスポート回数を設定して販売するようにしてもよい。
【０１０４】
直接エキスポートサービスでは、１回の購入処理に対して複数回のエキスポート処理が可能であるため、映像コンテンツのエキスポート処理は、上記の購入処理とは別に行われる。
【０１０５】
次に、図１、図６〜図８を用いて映像受信端末１００における映像コンテンツのエキスポート実行時のエキスポート可否判断手順について説明する。
【０１０６】
図６は、映像コンテンツのエキスポート実行時の映像受信端末１００および映像配信サーバ１２０における動作および通信シーケンスを示している。図７は、映像コンテンツのエキスポート実行時の映像受信端末１００におけるエキスポート可否判断を行う手順を示すフローチャートである。図８（ａ）〜（ｆ）は、映像コンテンツのエキスポート実行時における表示部１０７によって表示される画面表示例を示している。
【０１０７】
図４（ａ）のメニュー画面において、ユーザは、ライセンス購入済みの映像コンテンツをエキスポートするために、購入済みコンテンツ画面選択ボタン１５１を押下する。
【０１０８】
購入済みコンテンツ画面選択ボタン１５１が押下されると、映像受信端末１００におけるユーザ操作受付部１０９は、ユーザからの映像コンテンツエキスポート画面の表示指示３３０を受信し、受信した映像コンテンツエキスポート画面表示指示３３０を制御部１０３へ送信する（ステップＳ２０１）。制御部１０３は、データ取得送信部１０１へ購入済みコンテンツ画面要求を送信する。データ取得送信部１０１は、ネットワークＩ／Ｆ部１０２を介して購入済みコンテンツ画面要求３３１を映像配信サーバ１２０へ送信する。
【０１０９】
映像配信サーバ１２０は、購入済みコンテンツ画面要求３３１を受信すると、ユーザが購入済みの映像コンテンツの一覧画面を生成３３２する。そして、生成した購入済みコンテンツ一覧画面３３３を映像受信端末１００へ送信する。
【０１１０】
映像配信サーバ１２０は、購入済みコンテンツ一覧画面３３３を映像受信端末１００へ送信する際に、エキスポート条件４００も購入済みコンテンツ一覧画面３３３のデータに含めて送信する。
【０１１１】
映像受信端末１００のデータ取得送信部１０１は、ネットワークＩ／Ｆ部１０２を介して映像配信サーバ１２０から購入済みコンテンツ一覧画面３３３を取得し、制御部１０３へ送信する。購入済みコンテンツ一覧画面３３３を受信した制御部１０３は、購入済みコンテンツ一覧画面を表示部１０７へ渡す。購入済みコンテンツ一覧画面を取得した表示部１０７は、購入済みコンテンツ一覧画面３３４を表示する（ステップＳ２０２）。
【０１１２】
図８（ａ）は、このときに表示される購入済みコンテンツの一覧を示す画面の表示例である。
【０１１３】
図８（ａ）の表示例では、ユーザがライセンス購入済みの映像コンテンツは３つであり、３つの映像コンテンツの情報を示す購入済みコンテンツ項目１７０〜１７２が表示されている。各購入済みコンテンツ項目１７０〜１７２には、その映像コンテンツのエキスポート可能な回数と、エキスポートする記録先のリムーバブルメディアの種類が表示されている。図８（ａ）の表示例では、購入済みコンテンツ項目１７２の映像コンテンツについては、既にライセンス購入した回数分のエキスポート処理を実行済みであり、さらなるエキスポート処理を行えないことを示している。
【０１１４】
図８（ｂ）は、エキスポートする記録先のリムーバブルメディアの種類を選択する画面の表示例を示している。
【０１１５】
各購入済みコンテンツ項目１７０〜１７２内にはリムーバブルメディアの種類を選択するためのメディア選択用プルダウンボタン１７３が表示されており、ユーザがメディア選択用プルダウンボタン１７３を押下すると、図８（ｂ）に示すように映像受信端末１００で使用可能なリムーバブルメディアを選択するためのプルダウンメニューが表示され、ユーザは、エキスポートする記録先のリムーバブルメディアを選択することができる。
【０１１６】
ユーザが、図８（ａ）の購入済みコンテンツ一覧画面において、エキスポートするリムーバブルメディアを選択し、エキスポートする映像コンテンツを指定するとエキスポート可否の確認処理３３６が行われる。
【０１１７】
図８（ｃ）は、ユーザが、リムーバブルメディアの種類とエキスポートする映像コンテンツを指定したときの画面の表示例を示している。ここでは、ユーザが、購入済みコンテンツ項目１７０の映像コンテンツをＢＤへエキスポートするように指定した状態を示している。
【０１１８】
ユーザは、図８（ａ）の購入済みコンテンツ一覧画面において記録先のリムーバブルメディアを選択し、購入済みコンテンツ項目１７０のボタンを押下したものとする。ユーザ操作受付部１０９は、ユーザからのコンテンツおよびメディア選択指示３３５を受信し、受信したコンテンツおよびメディア選択３３５を制御部１０３へ送信する（ステップＳ２０３）。
【０１１９】
コンテンツおよびメディア選択３３５を受信した制御部１０３は、エキスポート対応可否確認部１０４へエキスポート可否確認要求を送信し、エキスポート対応可否確認部１０４にエキスポート対応可否を確認３３６させる（ステップＳ２０４）。
【０１２０】
エキスポート可否確認要求を受信したエキスポート対応可否確認部１０４は、データ取得送信部１０１からコンテンツ詳細画面のデータを取得し、そのデータに含まれるエキスポート条件４００を抽出する（ステップＳ２０５）。
【０１２１】
エキスポート条件４００を抽出したエキスポート対応可否確認部１０４は、それぞれに必要なデータを、端末対応可否確認部１０５とリムーバブルメディア対応可否確認部１０６へ送信すると共に、それぞれに対してエキスポート対応可否確認を要求する。
【０１２２】
端末対応可否確認部１０５は、映像受信端末１００が備える能力とエキスポート対応可否確認部１０４から送信されてきたデータとを比較して映像受信端末１００についての対応可否を確認し、リムーバブルメディア対応可否確認部１０６は、ステップＳ２０３でユーザに選択されたリムーバブルメディア部１０８が備える能力とエキスポート対応可否確認部１０４から送信されてきたデータとを比較してリムーバブルメディア部１０８についての対応可否を確認する。それぞれ確認した結果をエキスポート対応可否確認部１０４に送信し、確認結果を受信したエキスポート対応可否確認部１０４は、エキスポート可能であるか判断する（ステップＳ２０６）。
【０１２３】
エキスポート対応可否確認部１０４は、判断結果を制御部１０３へ送信する。判断結果を受信した制御部１０３は、判断結果に応じて表示部１０７への表示要求を変更する（ステップＳ２０７）。
【０１２４】
ステップＳ２０７における判断の結果、何も問題がなかった場合（ＯＫの場合）、制御部１０３は、エキスポート処理実行可能と判断し、画面上にエキスポート処理を実行するボタンを表示するように表示部１０７へ要求する（ステップＳ２０８）。
【０１２５】
図８（ｅ）は、エキスポート処理を実行するボタンを表示する画面の表示例を示している。エキスポート処理を実行するボタンを表示するように要求された表示部１０７は、図８（ｅ）のように、エキスポート処理を開始させるためのエキスポート実行ボタン１７５を画面上に表示３３７する。
【０１２６】
ステップＳ２０７における判断の結果、リムーバブルメディア部１０８の容量が足りない、リムーバブルメディア部１０８が挿入されていない、挿入されているリムーバブルメディア部１０８は直接エキスポートに未対応であるがリムーバブルメディア部１０８を交換することによりエキスポートが可能になる、などの復旧可能な問題が発生した場合（ＷＡＲＮＩＮＧの場合）、制御部１０３は、図３に示した映像コンテンツの購入時の処理とは違い、エキスポート処理を実行不可と判断し、画面上に判断結果と判断理由を表示するように表示部１０７へ要求し、その後のエキスポート処理を継続しない（ステップＳ２０９）。
【０１２７】
このように、ステップＳ２０９の処理を映像コンテンツ購入処理時のステップＳ１１０の処理と異ならせた理由は、映像コンテンツのエキスポート実行時のユーザの目的が、映像コンテンツをリムーバブルメディア部１０８にエキスポートさせることであるのに対し、映像コンテンツ購入処理時のユーザの目的は、所望の映像コンテンツを購入することである、という違いによるものである。復旧可能な問題の場合（ＷＡＲＮＩＮＧの場合）、購入手続については進めても問題ないのに対し、エキスポートを実行した場合にはその実行時に必ずエラーが発生するからである。
【０１２８】
図８（ｄ）は、画面上に判断結果と判断理由を表示する画面の表示例を示している。
【０１２９】
この場合、例えば表示部１０７は、図８（ｄ）の判断結果表示１７４のように、判断結果と判断理由を画面上にポップアップ表示３４３させる。
【０１３０】
図８（ｄ）の判断結果表示１７４をユーザが確認すると、制御部１０３は、表示部１０７によって判断結果表示１７４を消去させ、エキスポート処理を終了３４４する。
【０１３１】
ステップＳ２０７における判断の結果、映像受信端末１００が直接エキスポートサービスに対応していない、映像受信端末１００が故障して直接エキスポート処理を実行できないなどの復旧不可能な問題が発生した場合（ＮＧの場合）、制御部１０３は、エキスポート処理を実行不可と判断し、画面上に判断結果と判断理由を表示するように表示部１０７へ要求し、その後のエキスポート処理を継続しない（ステップＳ２１０）。表示部１０７は、図８（ｄ）の判断結果表示１７４のように、判断結果と判断理由を画面上にポップアップ表示３４３させる。図８（ｄ）の判断結果表示１７４をユーザが確認すると、制御部１０３は、表示部１０７によって判断結果表示１７４を消去させ、エキスポート処理を終了３４４する。
【０１３２】
なお、ステップＳ２０７における判断処理が、本発明の第２判断ステップの一例にあたり、ステップＳ２０８〜Ｓ２１０における表示処理が、本発明の第２表示ステップの一例にあたる。
【０１３３】
図８（ｆ）は、エキスポート処理を受け付け、エキスポートを開始したことを示す画面の表示例を示している。
【０１３４】
ステップＳ２０８において表示される図８（ｅ）の表示で、エキスポート実行ボタン１７５をユーザが押下すると、ユーザ操作受付部１０９は、ユーザからのエキスポート開始指示３３８を受信し、受信したエキスポート開始指示３３８を制御部１０３へ送信する。制御部１０３は、ユーザに指定された映像コンテンツのダウンロード要求３３９をデータ取得送信部１０１によって映像配信サーバ１２０へ送信させる。このとき、制御部１０３は、コンテンツ購入時に映像配信サーバ１２０から受信したコンテンツ取得情報３１７に含まれていたＵＲＬに対して、ダウンロード要求させる。
【０１３５】
映像配信サーバ１２０は、コンテンツダウンロード要求３３９を受信すると、ライセンス確認処理３４０を行い、そのコンテンツダウンロード要求３３９が有効なライセンスを所有している映像受信端末からの要求であることを確認すると、指定された映像コンテンツのデータを映像受信端末１００へ送信３４１する。
【０１３６】
映像受信端末１００の制御部１０３は、データ取得送信部１０１によってコンテンツダウンロード３４１が開始されエキスポート処理が開始３４２されたことを確認すると、表示部１０７によって図８（ｆ）のように画面上にエキスポート処理受け付け表示１７６を表示させ、エキスポートの処理を受け付け、エキスポート処理を実行中であることをユーザに通知する。
【０１３７】
なお、図８（ｅ）の表示でユーザがエキスポート実行ボタン１７５を押下した後、図８（ｆ）のエキスポート処理受け付け表示１７６が表示されるまでの処理が、本発明のエキスポート実行ステップの一例にあたる。
【０１３８】
なお、ステップＳ２０９の処理では、一旦エキスポート処理を終了した後、図８（ａ）の表示に戻り、ユーザがエキスポートする映像コンテンツおよびリムーバブルメディアを選択するステップＳ２０３の処理を再度行わせるようにしてもよい。
【０１３９】
なお、上記では、映像配信サーバ１２０が、購入済みコンテンツ一覧画面３３３のデータにエキスポート条件４００を含めて送信することとしたが、映像コンテンツの購入処理時に取得したエキスポート条件４００を記憶させておき、ステップＳ２０５において、エキスポート対応可否確認部１０４が、その記憶させておいたエキスポート条件４００を使用するようにしてもよい。この場合、映像配信サーバ１２０は、購入済みコンテンツ一覧画面３３３のデータにエキスポート条件４００を含めないで送信してもよい。
【０１４０】
なお、ここでは、映像コンテンツのデータを送信する装置を、購入処理を行った装置と同じ映像配信サーバ１２０としたが、購入処理を行う装置と映像コンテンツのデータを送信する装置が、異なる装置であってもよい。
【０１４１】
なお、上記では、エキスポート可否の判断結果を表示する際に、図４（ｄ）や図８（ｄ）のように、他の表示に重ねたポップアップ表示で表示することとしたが、他の表示とともに、画面の一部に判断結果を表示させるようにしてもよい。例えば、映像コンテンツ購入時のステップＳ１１０において判断結果を表示する際に、図４（ｅ）の画面表示の一部に判断結果を表示させるようにしてもよい。このようにした場合、図４（ｅ）の画面表示のまま、ユーザは判断結果を視認して確認できるとともに、購入手続画面選択ボタン１５７を押下することができる。
【０１４２】
本実施の形態１の上記の処理において、エキスポート可否の判断部分だけを映像受信端末１００のプラグインによって実行させ、それ以外の処理は映像配信サーバ１２０から送信されてくるＨＴＭＬデータによって処理されるようにしてもよい。このような構成とすることにより、一つのプラグインを、映像コンテンツ購入時と、映像コンテンツエキスポート実行時の、それぞれのエキスポート可否の判断処理に使用することができる。
【０１４３】
このようにした場合、図４、図５および図８に示す表示画面例において、図４（ｄ）および図８（ｄ）のポップアップで表示する判断結果表示１５８、１７４のみが映像受信端末１００のプラグインによって表示されるものであり、それ以外の表示は映像配信サーバ１２０からのＨＴＭＬデータによって表示されるものとなる。
【０１４４】
なお、映像受信端末１００の、制御部１０３、データ取得送信部１０１、エキスポート対応可否確認部１０４、端末対応可否確認部１０５、リムーバブルメディア対応可否確認部１０６などの処理は、プログラムを実行させるソフトウェア処理としておくことにより、映像配信サーバ１２０側の処理変更などに柔軟に対応することができる。
【０１４５】
（実施の形態２）
エキスポート可否の判断を、映像受信端末およびリムーバブルディスクの性能および機能に基づいて行なう実施の形態１の構成に加えて、本発明の実施の形態２の映像受信端末は、コンテンツ提供者の意思およびユーザの意思にも基づいてエキスポート可否の判断を行なうものである。
【０１４６】
放送録画では、録画装置や記録メディアの状態にあわせて、録画装置の都合でトランスコードを行うことが一般的であった。これに対し、直接エキスポートサービスの場合は、コンテンツ販売業者がコンテンツ制作者からコンテンツを調達する際の許諾条件により、録画装置の都合での映像圧縮比変更などの改変処理を許可できないコンテンツが存在する。そのため、直接エキスポートサービスの場合には、コンテンツ販売業者の意思を反映しつつ、映像圧縮比変更処理等の実施判断を行うことが望まれる。
【０１４７】
しかし、従来の放送番組には改変処理を許可できないといったコンテンツなどは無く、当然ながら放送番組を前提とした従来の録画方法では、このような場合のコンテンツ販売業者の意思を反映した処理を行う必要がなかった。
【０１４８】
さらに、直接エキスポートサービスの場合、コンテンツ取得前（＝直接エキスポート実行前）の段階でユーザの意思を確認しても、既に購入処理は完了していることが想定される。そのため、画質劣化を許容できないため購入をキャンセルしたいユーザに対して、返金対応などを行わなければならなくなる。したがって、この問題を回避するためには、ユーザが購入可否を判断する前に、映像圧縮比変更、およびそれに伴う画質劣化について、ユーザに許可を求めた上で、ユーザに購入を許可する必要があった。しかし、従来の放送番組の録画を前提とした映像受信端末では、この問題を回避できなかった。
【０１４９】
本実施の形態２の映像受信端末は、映像コンテンツ購入の際にコンテンツ提供者の意思およびユーザの意思を考慮するようにして、このような問題も回避できるようにしたものである。
【０１５０】
図９は、本実施の形態２の映像受信端末の構成を示すブロック図である。
【０１５１】
図９において、図１に示した実施の形態１の映像受信端末１００と同じ構成部分には、同じ符号を用いている。本実施の形態２の映像受信端末１３０の構成は、実施の形態１の映像受信端末１００と同じ構成であり、制御部１３１、エキスポート対応可否確認部１３２およびリムーバブルメディア対応可否確認部１３３が、それぞれ対応する映像受信端末１００の各部が行なう処理に加えて、コンテンツ提供者およびユーザの意思に基づいた判断処理を行う。
【０１５２】
なお、本実施の形態２では、図９に二点鎖線で囲んで示した、エキスポート対応可否確認部１３２、端末対応可否確認部１０５およびリムーバブルメディア対応可否確認部１３３を合わせた可否判断部５０１の構成が、本発明の可否判断部の一例にあたる。
【０１５３】
図１０は、映像コンテンツ購入時の映像受信端末１３０および映像配信サーバ１２０における動作および通信シーケンスを示している。図１１および図１２は、映像コンテンツ購入時の映像受信端末１３０におけるエキスポート可否判断を行う手順を示すフローチャートである。図１３は、映像コンテンツ購入時における表示部１０７によって表示される画面表示例を示している。なお、図１０および図１１において、実施の形態１の図２および図３と同じ処理部分には、同じ符号を用いている。
【０１５４】
図９〜図１３を用いて映像受信端末１３０における映像コンテンツ購入時のエキスポート可否判断手順について説明する。ここでは、実施の形態１の映像受信端末１００における手順と異なる部分について説明する。
【０１５５】
図１０において、映像配信サーバ１２０から映像受信端末１３０へ送信されてくるコンテンツ詳細画面３０８に含まれているエキスポート条件４１０には、実施の形態１のエキスポート条件４００の情報に加えて、リサイズ条件が含まれている。
【０１５６】
リサイズ条件は、コンテンツ提供者がそのコンテンツのトランスコードを許可しているか否かを示す情報であり、例えば、トランスコードを許可している場合はｔｒｕｅ、トランスコードを許可していない場合はｆａｌｓｅ、の２値で示される。コンテンツのトランスコードとは、コンテンツ自身の解像度やデータサイズを変更するものであり、間引く処理をしても構わなく、また、一旦コンテンツをデコードしてから、データのビットレートなどの情報を変更して再度エンコードするように処理しても構わない。
【０１５７】
図１１のフローにおいて、ステップＳ１０１からステップＳ１０５までの処理は、実施の形態１と同様なので説明を省略し、ステップＳ１１５以降の処理について説明する。
【０１５８】
制御部１３１からエキスポート可否確認要求を受信したエキスポート対応可否確認部１３２は、データ取得送信部１０１からコンテンツ詳細画面のデータを取得し、そのデータに含まれるエキスポート条件４１０を抽出する（ステップＳ１１５）。
【０１５９】
エキスポート条件４１０を抽出したエキスポート対応可否確認部１３２は、それぞれに必要なデータを、端末対応可否確認部１０５とリムーバブルメディア対応可否確認部１３３へ送信すると共に、それぞれに対してエキスポート対応可否確認を要求する。このとき、リムーバブルメディア対応可否確認部１３３へ送信される必要なデータとして、リサイズ条件も含まれる。
【０１６０】
端末対応可否確認部１０５は、映像受信端末１３０が備える能力とエキスポート対応可否確認部１３２から送信されてきたデータとを比較して映像受信端末１３０についての対応可否を確認し、リムーバブルメディア対応可否確認部１３３は、ステップＳ１０４でユーザに選択されたリムーバブルメディア部１０８が備える能力とエキスポート対応可否確認部１３２から送信されてきたデータとを比較してリムーバブルメディア部１０８についての対応可否を確認する。
【０１６１】
このとき、リムーバブルメディア対応可否確認部１３３は、ダウンロードした形式のままでは映像コンテンツのサイズが大きくてリムーバブルメディア部１０８に記録できない場合でも、リサイズ条件でトランスコードが許可されている場合には、圧縮後の映像コンテンツのデータサイズをリムーバブルメディア部１０８の空き容量と比較してエキスポート対応可否を判断する。ダウンロードした形式のままでは映像コンテンツのサイズが大きくてリムーバブルメディア部１０８に記録できない場合に、リサイズ条件でトランスコードが許可されていないとき、すなわち、コンテンツ提供者がその映像コンテンツのトランスコードを許可していないときには、リムーバブルメディア対応可否確認部１３３は、エキスポート対応不可と判断する。
【０１６２】
端末対応可否確認部１０５およびリムーバブルメディア対応可否確認部１３３は、それぞれ確認した結果をエキスポート対応可否確認部１３２に送信し、確認結果を受信したエキスポート対応可否確認部１３２は、エキスポート可能であるか判断する（ステップＳ１１６）。
【０１６３】
エキスポート対応可否確認部１３２は、判断結果を制御部１３１へ送信する。判断結果を受信した制御部１３１は、判断結果に応じて表示部１０７への表示要求を変更する（ステップＳ１１７）。
【０１６４】
ステップＳ１１７における判断の結果、映像受信端末１３０が直接エキスポートサービスに対応していない、映像受信端末１３０が故障して直接エキスポート処理を実行できないなどの復旧不可能な問題が発生した場合（ＮＧの場合）、実施の形態１と同様に、制御部１３１は画面上に判断結果と判断理由を表示するように表示部１０７へ要求する（ステップＳ１１１）。
【０１６５】
一方、ステップＳ１１７における判断の結果、何も問題がなかった場合（ＯＫの場合）、および、リムーバブルメディア部１０８の容量が足りない、リムーバブルメディア部１０８が挿入されていない、挿入されているリムーバブルメディア部１０８は直接エキスポートに未対応であるがリムーバブルメディア部１０８を交換することによりエキスポートが可能になる、などの復旧可能な問題が発生した場合（ＷＡＲＮＩＮＧの場合）には、実施の形態１と異なり、制御部１３１はリサイズ許可確認の処理（ステップＳ１２０）を行なう。
【０１６６】
図１２は、制御部１３１におけるステップＳ１２０のリサイズ許可確認の処理のフローチャートを示している。
【０１６７】
ステップＳ１２０の処理において、制御部１３１は、まず指定の映像コンテンツをリムーバブルメディア部１０８へ記録するために、ダウンロードした形式のままで記録可能であるのか、圧縮後の映像コンテンツでなければ記録できないのかを判断する（ステップＳ１２１）。
【０１６８】
映像コンテンツをダウンロードした形式のままではリムーバブルメディア部１０８へ記録できず、圧縮することにより記録できる場合（ステップＳ１２１で、リサイズが必要と判定した場合）には、制御部１３１は、表示部１０７およびユーザ操作受付部１０９を用いてユーザの許可確認を行う（ステップＳ１２２）。制御部１３１は、例えば図１３に示すようなリサイズ可否確認画面３５０を表示させる。
【０１６９】
図１３に示すリサイズ許可確認画面は、図４（ｃ）の画面において、エキスポートする記録先のリムーバブルディスクをユーザが選択したときに表示される。このとき、図１３のように、ユーザ許可確認表示１６５が、図４（ｃ）の画面表示の上にポップアップ表示される。
【０１７０】
ユーザは、図１３の表示を見ることにより、図４（ｃ）の画面で選択したメディアのＢＤに対して、映像コンテンツをトランスコードしないで格納するには容量が足りないことを確認するとともに、映像コンテンツのサイズを圧縮して録画モード「ＨＸ」で記録することの可否の問い合わせを受ける。
【０１７１】
ここで、ユーザがトランスコードを許可する、すなわち図１３の画面表示に対して「ＹＥＳ」ボタンを押下すると、リサイズ可否確認結果３５１がユーザ操作受付部１０９から制御部１３１へ通知される。
【０１７２】
制御部１３１は、リサイズがユーザに許可されたか否かを確認し（ステップＳ１２３）、リサイズが許可されなかった場合には、コンテンツ購入処理を終了３５２する。
【０１７３】
ステップＳ１２１においてリサイズすることなく映像コンテンツをリムーバブルメディア部１０８へ記録できると判断された場合、およびステップＳ１２３においてユーザによって映像コンテンツのリサイズが許可された場合には、制御部１３１は、エキスポート対応可否確認部１３２から受信した判断結果に応じて表示部１０７への表示要求を変更する（ステップＳ１２４）。
【０１７４】
図１２におけるステップＳ１２５およびステップＳ１２６の処理は、それぞれ、図３に示した実施の形態１のステップＳ１０９およびステップＳ１１０の処理と同様である。
【０１７５】
すなわち、ステップＳ１２４における判断の結果、何も問題がなかった場合（ＯＫの場合）、制御部１３１は、画面上に購入画面へ遷移するボタンを表示するように表示部１０７へ要求し、図４（ｅ）に示すような購入画面へ遷移させる（ステップＳ１２５）。そして、ステップＳ１２４における判断の結果、復旧可能な問題が発生した場合（ＷＡＲＮＩＮＧの場合）、制御部１３１は、画面上に判断結果と判断理由を表示するように表示部１０７へ要求し、図４（ｄ）に示すような判断結果と判断理由を表示する画面を表示させ、図４（ｄ）の画面上の確認ボタンをユーザが押下すると図４（ｅ）に示すような購入画面へ遷移させる（ステップＳ１２６）。
【０１７６】
なお、複数の映像コンテンツを一括購入する場合、リサイズ条件としては、それらの映像コンテンツごとの条件を集約して設定してもよい。
【０１７７】
したがって、例えば、一括購入する映像コンテンツの中にトランスコードを許可しない映像コンテンツが含まれていた場合に、制御部１３１が、一括購入する複数の映像コンテンツ全体を、トランスコードが許可されないものとして取り扱うようにしてもよい。
【０１７８】
また、本実施の形態２では、リサイズ条件として、映像コンテンツのトランスコードの許可情報を例に説明したが、提供者の映像コンテンツに対する意思を反映するような条件であれば、その他の条件であってもよい。例えば、トランスコードは可能であるが所定の圧縮率までのリサイズしか許容しないという条件や、トランスコードは可能であるが所定の解像度までのリサイズしか許容しないという条件や、所定の変換方法による変換のみを許容するという条件や、所定のセキュリティ規格へのトランスコードのみを許可するという条件など、であってもよい。
【０１７９】
以上に説明したように、本実施の形態２によれば、ユーザとコンテンツ提供者の双方の意に沿うコンテンツ取得判断が実現できる映像受信端末等を提供することが可能となるため、コンテンツ配信サービスのＣＳ向上に寄与することができる。
【０１８０】
なお、各実施の形態では、本発明のコンテンツの一例として映像コンテンツを用いて説明したが、音楽、画像、文章などの、映像以外のコンテンツについても本発明を適用できる。
【０１８１】
なお、本発明の記録媒体は、上述したコンテンツのエキスポート方法の、前記コンテンツの購入時に、エキスポート処理の実行可否を判断する前記第１判断ステップ、前記第１判断ステップにおける判断結果に応じて表示を制御する前記第１表示ステップ、前記コンテンツのエキスポート実行時に、前記エキスポート処理の可否を判断する前記第２判断ステップ、前記第２判断ステップにおける判断結果に応じて表示を制御する前記第２表示ステップの動作をコンピュータにより実行させるためのプログラムを記録した記録媒体であり、コンピュータにより読み取り可能かつ、読み取られた前記プログラムが前記コンピュータと協働して利用される記録媒体である。
【０１８２】
また、本発明の上記「前記ステップの動作」とは、前記ステップの全部または一部の動作を意味する。
【０１８３】
また、本発明の記録媒体に記録されたプログラムの一利用形態は、コンピュータにより読み取り可能な、ＲＯＭ等の記録媒体に記録され、コンピュータと協働して動作する態様であっても良い。
【０１８４】
また、本発明の記録媒体に記録されたプログラムの一利用形態は、インターネット等の伝送媒体、光・電波等の伝送媒体中を伝送し、コンピュータにより読みとられ、コンピュータと協働して動作する態様であっても良い。
【０１８５】
また、上述した本発明のコンピュータは、ＣＰＵ等の純然たるハードウェアに限らず、ファームウェアや、ＯＳ、更に周辺機器を含むものであっても良い。
【０１８６】
なお、以上説明した様に、本発明の構成は、ソフトウェア的に実現しても良いし、ハードウェア的に実現しても良い。
【０１８７】
以上に説明したように、本発明の受信端末は、ダウンロードするコンテンツについて、受信端末の対応可否だけではなく記録先のリムーバブルメディアの対応可否の判断も行うので、例えば直接エキスポートサービスにおいてエキスポート実行時に発生するエラーを従来よりも大幅に低減することができる。
【０１８８】
また、本発明の受信端末は、コンテンツの購入時とエキスポート実行時とにおいて、エキスポート可否の判断結果に対する処理内容を異ならせており、コンテンツの購入時には、エキスポートできるリムーバブルディスクが装着されていなくてもリムーバブルディスクを取り替えればエキスポートが可能となる等、その受信端末でエキスポートを可能にすることができる場合には、購入処理を行えるようにしており、購入時にエキスポート可能なリムーバブルディスクを装着していなくてもユーザはコンテンツを購入することができる。また、この場合、エキスポート処理を実行する際には、受信端末に装着されているリムーバブルディスクがエキスポートに対応していない場合には、エキスポート処理を実行させないので、コンテンツのダウンロード開始後に生じるエラーを防止できる。
【産業上の利用可能性】
【０１８９】
本発明に係る受信端末およびコンテンツのエキスポート方法等は、コンテンツの直接エキスポートに関して、受信端末の対応可否とともに記録先のリムーバブルメディアの対応可否を判断できる効果を有し、通信ネットワークを介してコンテンツをダウンロードし、ダウンロードしたコンテンツをそのままリムーバブルメディアにエキスポートする機能を有する受信端末およびコンテンツのエキスポート方法等として有用である。
【符号の説明】
【０１９０】
１００  映像受信端末
１０１  データ取得送信部
１０２  ネットワークＩ／Ｆ部
１０３  制御部
１０４  エキスポート対応可否確認部
１０５  端末対応可否確認部
１０６  リムーバブルメディア対応可否確認部
１０７  表示部
１０８  リムーバブルメディア部
１０９  ユーザ操作受付部
１１０  受信バッファ
１１１  コンテンツ復号部
１１２  コンテンツ暗号化部
１２０  映像配信サーバ
１３０  映像受信端末
１３１  制御部
１３２  エキスポート対応可否確認部
１３３  リムーバブルメディア対応可否確認部
１５０  購入コンテンツ画面選択ボタン
１５１  購入済みコンテンツ画面選択ボタン
１５２  提供コンテンツ項目
１５３  提供コンテンツ項目
１５４  提供コンテンツ項目
１５５  コンテンツ詳細表示
１５６  メディア選択表示
１５７  購入手続画面選択ボタン
１５８  判断結果表示
１５９  カード番号入力エリア
１６０  カード番号入力確定ボタン
１６１  コンテンツ購入実行ボタン
１６２  購入完了表示
１６５  ユーザ許可確認表示
１７０  購入済みコンテンツ項目
１７１  購入済みコンテンツ項目
１７２  購入済みコンテンツ項目
１７３  メディア選択用プルダウンボタン
１７４  判断結果表示
１７５  エキスポート実行ボタン
１７６  エキスポート処理受け付け表示
２００  映像受信端末
２０１  ＨＤＤ
２０２  ディスプレイ
２０３  リムーバブルメディア
２０５  映像受信端末
２０６  バッファ
２１０  映像配信サーバ
３００  提供コンテンツ表示指示
３０１  提供コンテンツ表示指示
３０２  提供コンテンツ一覧画面生成
３０３  提供コンテンツ一覧画面
３０４  提供コンテンツ一覧表示
３０５  購入希望コンテンツ選択
３０６  コンテンツ詳細画面要求
３０７  コンテンツ詳細画面生成
３０８  コンテンツ詳細画面
３０９  コンテンツ詳細画面表示
３１０  エキスポート先メディア選択
３１１  エキスポート対応可否確認
３１２  判断結果表示
３１３  購入情報入力画面表示
３１４  ユーザ情報入力
３１５  入力ユーザ情報
３１６  コンテンツ購入確定処理
３１７  コンテンツ取得情報
３１８  コンテンツ購入完了表示
３１９  判定結果表示
３２０  コンテンツ購入処理終了
３３０  映像コンテンツエキスポート画面表示指示
３３１  購入済みコンテンツ画面要求
３３２  購入済みコンテンツ一覧画面生成
３３３  購入済みコンテンツ一覧画面
３３４  購入済みコンテンツ一覧表示
３３５  コンテンツおよびメディア選択
３３６  エキスポート対応可否確認
３３７  エキスポート実行ボタン表示
３３８  エキスポート開始指示
３３９  コンテンツダウンロード要求
３４０  ライセンス確認処理
３４１  コンテンツデータダウンロード
３４２  エキスポート処理実行
３４３  判定結果表示
３４４  エキスポート処理終了
３５０  リサイズ可否確認画面表示
３５１  リサイズ可否確認結果入力
３５２  コンテンツ購入処理終了
４００  エキスポート条件
５００  可否判断部
５０１  可否判断部
【図１】
0005528474.tif 000002
【図２】
0005528474.tif 000003
【図３】
0005528474.tif 000004
【図４】
0005528474.tif 000005
【図５】
0005528474.tif 000006
【図６】
0005528474.tif 000007
【図７】
0005528474.tif 000008
【図８】
0005528474.tif 000009
【図９】
0005528474.tif 000010
【図１０】
0005528474.tif 000011
【図１１】
0005528474.tif 000012
【図１２】
0005528474.tif 000013
【図１３】
0005528474.tif 000014
【図１４】
0005528474.tif 000015